(57)【要約】【課題】  デッキとの統一感があり、施工性も良好なデッキ昇降用階段の提供。【解決手段】  デッキ材３と、取付材４とを備え、取付材４は、支持体５上に取付けてあり、デッキ材３は、見付面と見込面にカバー６，７，８が取付けてあり、取付材４に対してデッキ２の外周側から係合し固定してある。【選択図】      図１
2019090252.tif 000002
【特許請求の範囲】
【請求項１】
デッキ材と、取付材とを備え、取付材は、支持体上に取付けてあり、デッキ材は、見付面と見込面にカバーが取付けてあり、取付材に対してデッキの外周側から係合し固定してあることを特徴とするデッキ昇降用階段。
【請求項２】
請求項１記載のデッキ昇降用階段を備えることを特徴とするデッキ。
【発明の詳細な説明】
【技術分野】
【０００１】
本発明は、デッキ昇降用階段とこれを備えるデッキに関する。
【背景技術】
【０００２】
従来、デッキにアルミ製の定型サイズの階段を取付けることがあったが（例えば、非特許文献１参照）、材質の違い等からデッキと統一感がなかった。
【先行技術文献】
【特許文献】
【０００３】
【非特許文献１】三協立山株式会社  三協アルミ社発行のカタログ「ウォールエクステリアカタログ」（カタログＮｏ．ＳＴＷ０４５５Ａ  ＫＹ．１７．０２−１０３０）、２０１７年２月、ｐ．６４４
【発明の概要】
【発明が解決しようとする課題】
【０００４】
本発明は以上に述べた実情に鑑み、デッキとの統一感があり、施工性も良好なデッキ昇降用階段とこれを備えるデッキの提供を目的とする。
【課題を解決するための手段】
【０００５】
上記の課題を達成するために請求項１記載の発明によるデッキ昇降用階段は、デッキ材と、取付材とを備え、取付材は、支持体上に取付けてあり、デッキ材は、見付面と見込面にカバーが取付けてあり、取付材に対してデッキの外周側から係合し固定してあることを特徴とする。
【０００６】
請求項２記載の発明によるデッキは、請求項１記載のデッキ昇降用階段を備えることを特徴とする。
【発明の効果】
【０００７】
請求項１記載の発明によるデッキ昇降用階段は、踏板にデッキ材を用いたことで、デッキとの統一感が得られる。また、取付材が支持体上に取付けてあり、デッキ材を取付材に対してデッキの外周側から係合し固定するため、階段の横幅を長くすることができ、階段の横幅が長くても敷地の条件に左右されることなくデッキ材の取付けが行え、施工性が良い。デッキ材は、見付面と見込面にカバーが取付けてあるので、意匠性が良い。
【０００８】
請求項２記載の発明によるデッキは、請求項１記載のデッキ昇降用階段を備えることで、デッキとデッキ昇降用階段の意匠を統一化できる。また、デッキ昇降用階段の横幅を長くすることができ、デッキへの昇り降りをしやすくできる。
【図面の簡単な説明】
【０００９】
【図１】図３のＡ−Ａ断面図である。
【図２】デッキ材を拡大して示す縦断面図である。
【図３】本発明のデッキ昇降用階段及びデッキの一実施形態を示す平面図である。
【図４】図３のＸ方向矢視図である。
【図５】同デッキ昇降用階段及びデッキの斜視図である。
【図６】デッキ材の分解斜視図である。
【図７】取付材を支持体と分離した状態で示す斜視図である。
【図８】デッキ材の取付け手順を示す縦断面図である。
【発明を実施するための形態】
【００１０】
以下、本発明の実施の形態を図面に基づいて説明する。図１〜５は、本発明に係るデッキ昇降用階段１及びデッキ２の一実施形態を示している。本実施形態は、図３に示すように、住宅等の建物９の外部のフェンス１０で囲まれた敷地１１にデッキ２が設置してあり、デッキ２の前側が空きスペースとなっており、その空きスペースからデッキ２に昇り降りするために、デッキ２の前側にデッキ昇降用階段１が設置してある。デッキ昇降用階段１は、横幅がデッキ２の左右方向の長さと略同じになっている。なお、本明細書及び図面において前後左右は、便宜上、デッキ昇降用階段１を正面から見ての前後左右に統一している。
【００１１】
デッキ２は、図３に示すように、束柱１２で支持した大引き１３が左右方向に間隔をおいて３本設置してあり、大引き１３上に床板としてのデッキ材１４，１４，…を前後方向に並べて取付け、前後両側と右側の縁を囲むように幕板１５を取付けて構成される。デッキ材１４は、木粉を混ぜた合成樹脂を押出成形して形成した人口木のデッキ材であり、図１に示すように、複数の中空部１６を長手方向に沿って有し、両側の縁部に凹部１７を長手方向に沿って有している。幕板１５は、デッキ材１４に取付けられる上幕板１５ａと、上幕板１５ａよりも下方で且つ上幕板１５ａよりも奥側に配置した下幕板１５ｂとに分割して構成してある。
【００１２】
図１，３，４に示すように、デッキ２の前側に位置する３本の束柱１２には、デッキ２の外周側の地面Ｇに向けて桁１８が斜めに設けてあり、桁１８の上面には斜め上向きに踏板受け１９が設けてあり、この桁１８と踏板受け１９とで階段の踏板を支持する支持体５が構成されている。桁１８は、矩形断面のアルミ押出形材を用いて形成したものであり、斜めに切断された長手方向の端部が束柱１２と地面Ｇにそれぞれ金具２０で固定してある。桁１８は、上面に一対の突条２１，２１を有している。踏板受け１９も、矩形断面のアルミ形材で形成したものであり、下端部が桁１８上面の一対の突条２１，２１間に挿入され、側方からのネジ２２で桁１８に固定してある。
【００１３】
デッキ昇降用階段１は、図１に示すように、上述の支持体５の踏板受け１９の上端部に取付材４を取付け、取付材４に踏板としてのデッキ材３を取付けて構成される。取付材４は、アルミ押出形材で形成したものであり、図２に示すように、後側の端部にデッキ材３の係合部２３が上向きの鉤状に設けてあり、前側の端部に、後述する取付補助材２４をねじ止めするためのネジ止め部２５を有し、その後方に取付補助材２４が係合する係合溝２６を有している。さらに取付材４は、下面に下向きに突出してタッピングホール２７，２７が２箇所に設けてある。取付材４は、図７に示すように、下面に突出したタッピングホール２７，２７を踏板受け１９の中空部内に上方から挿入し、踏板受け１９の側壁を貫通したネジ４８をタッピングホール２７，２７に捩じ込むことで、踏板受け１９の上端に取付けてある。
【００１４】
デッキ昇降用階段１の踏板に用いているデッキ材３は、図１，２に示すように、デッキ２の床板に用いているデッキ材１４と同様に、木粉を混ぜた合成樹脂を押出成形して形成した人口木のデッキ材であり、デッキ２のデッキ材１４と同一のもの（材質・色・断面形状が同一）となっている。
デッキ材３は、図６に示すように、前部に左右方向に間隔をおいて取付補助材２４が取付けてあり、前側の見付面に前カバー６が取付けてあり、後側の見付面に後カバー７が取付けてあり、左右の見込み面に側カバー８，８が取付けてある。取付補助材２４、前カバー６、後カバー７及び側カバー８は、何れもアルミ形材で形成してある。デッキ材３の前側及び後側の中空部１６内には、金属製の芯材２８が設けてある。
【００１５】
取付補助材２４は、取付材４と対応する位置に設けられるものであって、図２に示すように、デッキ材３の前側の凹部１７に係合させてネジ２９で固定されるデッキ材固定部３０と、デッキ材固定部３０の上方に位置し、前カバー６の上部が係合する前カバー係合溝３１と、デッキ材固定部３０の下方に位置し、前カバー６の下部をねじ止めするための前カバーネジ止め部３２と、前カバーネジ止め部３２より後方に延出し、デッキ材３の下面に当接する延出部３３と、延出部３３の中間部に位置し、取付材４のネジ止め部２５に当接してネジ止めされる被ネジ止め部３４と、延出部３３の後端部に下方に突出して設けられ、取付材４の係合溝２６に係合する突片３５を有している。
前カバー６は、上部に取付補助材２４の前カバー係合溝３１に係合する係合部３６を有し、下部に取付補助材２４の前カバーネジ止め部３２と下方からのネジ３７で固定される固定部３８と、中間部に後方に突出して設けたタッピングホール３９を有している。前カバー６は、上部の係合部３６を取付補助材２４の前カバー係合溝３１に係合させた後、下部の固定部３８を取付補助材２４の前カバーネジ止め部３２に下方からのネジ３７で固定することで、取付補助材２４に取付けている。
後カバー７は、デッキ材３の後側の凹部１７に係合させてネジ４０で固定されるデッキ材固定部４１と、タッピングホール４２と、デッキ材２の後端部上面側に覆い被さる突片４３と、取付材４の係合部２３と係合する被係合部４４を有している。
側カバー８は、デッキ材３の左右の見込み面に当接し、側方からネジ４５を前カバー６及び後カバー７のタッピングホール３９，４２に捩じ込んで取付けられる。側カバー８の前後の端部には、樹脂製の端部キャップ４６が取付けてあり、前カバー６及び後カバー７の長手方向端部が端部キャップ４６に当接している。
【００１６】
デッキ材３は、取付補助材２４と前カバー６と後カバー７と側カバー８を取付けた上で、支持体５上に取付けた取付材４に対して、デッキ２の外周側から係合して取付けられる。すなわち、図８（ａ）に示すように、デッキ材３を取付材４に対してデッキ外周側から近付け、図８（ｂ）に示すように、デッキ材３の後側が低くなるようにデッキ材３を傾けた状態でデッキ材３を取付材４上に載せ、後方に押し込む。すると、デッキ材３の後部（後カバー７の被係合部４４）が取付材４の係合部２３と係合する。その後、デッキ材３の前側を下ろすと、図８（ｃ）に示すように、取付補助材２４の突片３５が取付材４の係合溝２６に上方から係合し、これによりデッキ材３の前後移動が規制される。さらに、取付材４のネジ止め部２５と取付補助材２４の被ネジ止め部３４とを合わせ、前方からのネジ４７で両者を固定する。これにより、デッキ材３が取付補助材２４の係合部（デッキ材固定部３０）と取付材４の係合部２３とで前後から挟み込んで保持され、デッキ材３が固定される。
【００１７】
以上に述べたように本デッキ昇降用階段１は、踏板にデッキ材３を用いたことで、デッキ２との統一感が得られる。デッキ材３をデッキ２のデッキ材１４と同一のものを使用することで、一層の統一感が得られ、コストも抑えられる。
また本デッキ昇降用階段１は、取付材４が支持体５上に取付けてあり、デッキ材３を取付材４に対してデッキ２の外周側から係合し固定するため、階段の横幅を長くすることができ、階段の横幅が長くても敷地１１の条件に左右されることなくデッキ材３の取付けが行え、施工性が良い。仮に、デッキ材３を取付材４に対して左右方向（デッキ材３の長手方向）から係合するものであったとすると、図３に示すような敷地１１の状況では、建物９やフェンス１０が邪魔になりデッキ材３を取付けできないが、本デッキ昇降用階段１は上述のとおり、デッキ材３を取付材４に対してデッキ２の外周側から係合することで、デッキ材３がデッキ２の左右長さの全長に亘る長いものであり、しかも階段の左右に建物９やフェンス１０があっても、デッキ材３の取付けが問題なく行える。
本デッキ昇降用階段１は、デッキ材３を取付材４に載置しているので、支持体５の数を変更することで（少なくとも２つあれば良い）デッキ２の幅より短くすることも可能であるし、デッキ２が実施例より大きいものであっても、支持体５の数を増やすことで、デッキ２の幅いっぱいに設置することができる。
さらに本デッキ昇降用階段１は、デッキ材３の見付面と見込面にカバー（前カバー６、後カバー７、側カバー８）が取付けてあるので、意匠性が良い。
本デッキ昇降用階段１は、デッキ材３に取付けた取付補助材２４を有し、取付補助材２４が取付材４と係合するため、デッキ材３の取付けが簡単に行える。さらに、取付材４と取付補助材２４とを見込み方向のネジ４７で固定するので、デッキ材３の固定が容易に行える。
また本デッキ昇降用階段１は、デッキ材３の後カバー７が取付材４と係合するようにしたので、デッキ材３を取付材４と係合する際にカバーが邪魔にならず、デッキ材３を取付材４に載せた状態で後方に押し込むだけで係合させられため、施工性が良い。
【００１８】
本デッキ２は、上述のデッキ昇降用階段１を備えることで、デッキ２とデッキ昇降用階段１の意匠を共通化し、統一感が得られる。また、デッキ昇降用階段１の横幅を長くすることができ、デッキ２への昇り降りをしやすくできる。
【００１９】
本発明は以上に述べた実施形態に限定されない。デッキ材の材質、色、断面形状は、適宜変更することができる。実施形態のものは、デッキ昇降用階段をデッキの前方に設けているが、デッキ昇降用階段をデッキの側方に設けることもできる。デッキ昇降用階段は、必ずしもデッキの前後方向又は左右方向長さの全長に亘って設けてある必要はなく、任意の横幅で設けることができる。支持体の形状、構造は問わない。デッキ材は、取付材に対してデッキの外周側から取付けできればよく、係合する方向は左右方向以外の何れの方向（例えば、前後、上方、斜め）であってもよい。実施形態は、後カバーが取付材と係合するようになっているが、カバーではなくデッキ材自体が取付材と係合するものであってもよい。
【符号の説明】
【００２０】
１  デッキ昇降用階段
２  デッキ
３  デッキ材
４  取付材
５  支持体
６  前カバー（カバー）
７  後カバー（カバー）
８  側カバー（カバー）
【図１】
2019090252.tif 000003
【図２】
2019090252.tif 000004
【図３】
2019090252.tif 000005
【図４】
2019090252.tif 000006
【図５】
2019090252.tif 000007
【図６】
2019090252.tif 000008
【図７】
2019090252.tif 000009
【図８】
2019090252.tif 000010